(57)【特許請求の範囲】
【請求項１】
導光板と、
該導光板の側端面のうち、光入射部とされた側端面に配置された光源と、
前記導光板および前記光源を保持するフレーム体と、
を有し、
前記導光板は、該導光板の面内方向で交差する第１方向および第２方向のうち、第１方向の一方側の側端面から当該第１方向の他方側に向けて凹む凹部と、前記凹部に前記第１方向の他方側で対向する位置で前記第１方向の他方側の側端面から当該第１方向の他方側に向けて突出した凸部と、を備え、
前記凸部の前記第２方向の寸法は、前記凹部の前記第２方向の寸法以下であり、
前記フレーム体は、前記凹部において前記第２方向の一方側に位置する第１内側面に当接する第１位置決め突起と、前記凹部において前記第２方向の他方側に位置する第２内側面に当接する第２位置決め突起と、前記凸部において前記第２方向の一方側に位置する第１外側面に当接する第３位置決め突起と、前記凸部において前記第２方向の他方側に位置する第２外側面に当接する第４位置決め突起と、を備えていることを特徴とする照明装置。
【請求項２】
前記凸部の前記第１方向における突出寸法は、前記凹部の前記第１方向における深さ寸法以下である請求項１に記載の照明装置。
【請求項３】
前記第１位置決め突起と前記第３位置決め突起とは、前記第２方向における寸法が等しく、前記第２方向の同一位置に形成されて前記第１方向で対向し、
前記第２位置決め突起と前記第４位置決め突起とは、前記第２方向における寸法が等しく、前記第２方向の同一位置に形成されて前記第１方向で対向していることを特徴とする請求項１または２に記載の照明装置。
【請求項４】
前記導光板に重ねて配置された光学シートを備え、
当該光学シートは、前記第１方向の一方側の側端面から当該第１方向の他方側に向けて凹むシート側凹部と、前記シート側凹部に前記第１方向の他方側で対向する位置で前記第１方向の他方側の側端面から当該第１方向の他方側に向けて突出したシート側凸部と、を備え、
前記シート側凸部の前記第２方向の寸法は、前記シート側凹部の前記第２方向の寸法以下であることを特徴とする請求項１乃至３の何れか一項に記載の照明装置。
【請求項５】
前記第１方向および前記第２方向に対して交差する第３方向からみたとき、
前記シート側凹部は前記導光板の前記凹部に重なり、
前記シート側凸部は前記導光板の前記凸部に重なっていることを特徴とする請求項４に記載の照明装置。
【請求項６】
前記導光板において前記第２方向に位置する側端面が前記光入射部とされていることを特徴とする請求項１乃至５の何れか一項に記載の照明装置。
【請求項７】
請求項１乃至６の何れか一項に記載の照明装置を備えた液晶表示装置であって、
前記導光板の光出射面側に重ねて配置された液晶パネルを備えていることを特徴とする液晶表示装置。
【請求項８】
請求項７に記載の液晶表示装置を備えていることを特徴とする電子機器。
【発明の詳細な説明】
【技術分野】
【０００１】
本発明は、導光板および光源を備えた照明装置、該照明装置を備えた液晶表示装置、および該液晶表示装置を備えた電子機器に関するものである。
【背景技術】
【０００２】
透過型の液晶パネルを備えた液晶表示装置では、導光板の光入射部とされた側端面に光源が配置された照明装置を有しており、導光板の光出射面側に液晶パネルが重ねて配置されている。かかる照明装置において、導光板および光源はフレーム体に保持されている。また、導光板をフレーム体の所定位置に配置するにあたっては、例えば、導光板の両側の側端面の互いに対向する位置に凸部を設ける一方、フレーム体には凸部が嵌る凹部を設けた構成が提案されている（特許文献１参照）。
【先行技術文献】
【特許文献】
【０００３】
【特許文献１】特開２００２−８４２６号公報
【発明の概要】
【発明が解決しようとする課題】
【０００４】
導光板のコストを低減するには、大型の透光性の板材から複数枚の導光板を切り出すことが好ましく、その際、大型の板材から導光板を切り出した際に残る除材部分が少ないことが好ましい。しかしながら、特許文献１に記載の構成のように、導光板の両側の側端面の互いに対向する位置に凸部を設けると、大型の板材において導光板として切り出される領域の間には、凸部に起因する広い隙間が発生する。このため、大型の板材から導光板を切り出した際に残る除材部分が多く、板材が無駄になるという問題点がある。
【０００５】
以上の問題点に鑑みて、本発明の課題は、位置決め用の凸部や凹部を備えた導光板を大型の板材から複数切り出す場合でも、除材部分が少なく済む照明装置、該照明装置を備えた液晶表示装置、および該液晶表示装置を備えた電子機器を提供することにある。
【課題を解決するための手段】
【０００６】
上記課題を解決するために、本発明に係る照明装置は、導光板と、該導光板の側端面のうち、光入射部とされた側端面に配置された光源と、前記導光板および前記光源を保持するフレーム体と、を有し、前記導光板は、該導光板の面内方向で交差する第１方向および第２方向のうち、第１方向の一方側の側端面から当該第１方向の他方側に向けて凹む凹部と、前記凹部に前記第１方向の他方側で対向する位置で前記第１方向の他方側の側端面から当該第１方向の他方側に向けて突出した凸部と、を備え、前記凸部の前記第２方向の寸法は、前記凹部の前記第２方向の寸法以下であり、前記凸部の前記第１方向における突出寸法は、前記凹部の前記第１方向における深さ寸法以下であることを特徴とする。
【０００７】
本発明に係る照明装置に用いた導光板において、第１方向の一方側の側端面には凹部が設けられ、第１方向の他方側の側端面には凸部が形成されているため、凹部および凸部のうちの少なくとも一方を利用して、フレーム体の所定位置に導光板を位置決めすることができる。ここで、凹部と凸部は、第１方向で対向する位置に形成され、かつ、凸部の寸法は凹部の寸法以下である。このため、大型の板材から複数枚の導光板を切り出す際、導光板として切り出される複数の領域のうち、第１方向で隣接する領域同士の間では、凸部が切り出される領域は、凹部が切り出される領域の内側に位置する。このため、大型の板材から導光板を切り出した際に残る除材部分が少なく、材料の無駄が少なく済む。
【０００８】
本発明において、前記凸部の前記第１方向における突出寸法と、前記凹部の前記第１方向における深さ寸法とは等しいことが好ましい。かかる構成によれば、凸部において第１方向の一方側に位置する先端部と凹部において第１方向の一方側に位置する底部とが重なる。このため、凸部の先端部の切断と凹部の底部の切断とを同時に行うことができる。
【０００９】
本発明において、前記フレーム体は、前記凹部において前記第２方向の一方側に位置する第１内側面に当接する第１位置決め突起と、前記凹部において前記第２方向の他方側に位置する第２内側面に当接する第２位置決め突起と、前記凸部において前記第２方向の一方側に位置する第１外側面に当接する第３位置決め突起と、前記凸部において前記第２方向の他方側に位置する第２外側面に当接する第４位置決め突起と、を備えていることが好ましい。かかる構成によれば、凹部および凸部の双方を利用して、導光板の位置決めを行うことができる。
【００１０】
本発明において、前記第１位置決め突起と前記第３位置決め突起とは、前記第２方向における寸法が等しく、前記第２方向の同一位置に形成されて前記第１方向で対向し、前記第２位置決め突起と前記第４位置決め突起とは、前記第２方向における寸法が等しく、前記第２方向の同一位置に形成されて前記第１方向で対向していることが好ましい。かかる構成によれば、凹部および凸部を同一構成の位置決め突起により、導光板の位置決めを行うことができる。
【００１１】
本発明において、前記導光板に重ねて配置された光学シートを備え、当該光学シートは、前記第１方向の一方側の側端面から当該第１方向の他方側に向けて凹むシート側凹部と、前記シート側凹部に前記第１方向の他方側で対向する位置で前記第１方向の他方側の側端面から当該第１方向の他方側に向けて突出したシート側凸部と、を備え、前記シート側凸部の前記第２方向の寸法は、前記シート側凹部の前記第２方向の寸法以下であり、前記シート側凸部の前記第１方向における突出寸法は、前記シート側凹部の前記第１方向における深さ寸法以下であることが好ましい。かかる構成によれば、光学シートについても、導光板と同様、大型のシートから効率よく切り出すことができる。
【００１２】
本発明において、前記第１方向および前記第２方向に対して交差する第３方向からみたとき、前記シート側凹部は前記導光板の前記凹部に重なり、前記シート側凸部は前記導光板の前記凸部に重なっていることが好ましい。かかる構成によれば、光学シートについても、導光板と同様な構成で位置決めを行うことができる。
【００１３】
本発明において、前記導光板において前記第２方向に位置する側端面が前記光入射部とされている構成を採用することができる。
【００１４】
本発明を適用した照明装置は、液晶表示装置に用いることができ、かかる液晶表示装置は、前記導光板の光出射面側に重ねて配置された液晶パネルを備えている。
【００１５】
本発明に係る液晶表示装置は、液晶テレビ等の電子機器に用いられる。
【図面の簡単な説明】
【００１６】
【図１】本発明の実施の形態１に係る液晶表示装置を備えた液晶テレビ（電子機器）の説明図である。
【図２】本発明の実施の形態１に係る液晶表示装置の全体構成を示す説明図である。
【図３】本発明の実施の形態１に係る液晶表示装置をさらに細かく分解したときの分解斜視図である。
【図４】本発明の実施の形態１に係る液晶表示装置の断面図である。
【図５】本発明の実施の形態１に係る液晶表示装置の照明装置に用いた光源用基板周辺の構成を示す説明図である。
【図６】本発明の実施の形態１に係る液晶表示装置の照明装置の分解斜視図である。
【図７】本発明の実施の形態１に係る液晶表示装置における導光板等の位置決め構造を示す説明図である。
【図８】図７に示す導光板の製造方法を示す説明図である。
【発明を実施するための形態】
【００１７】
図面を参照して、液晶テレビ用の液晶表示装置に本発明を適用した形態を説明する。なお、以下の説明で参照する図においては、各層や各部材を図面上で認識可能な程度の大きさとするため、各層や各部材毎に縮尺を異ならしめてある。また、以下の説明では、導光板や液晶パネルの面内方向で互いに交差する方向の一方（図に示す導光板や液晶パネル（表示パネル）の長辺が延在する方向）をＸ軸方向とし、および他方（図に示す導光板や液晶パネルの短辺が延在する方向）をＹ軸方向とし、Ｘ軸方向およびＹ軸方向に交差する方向（図に示す導光板と液晶パネルとが積層される方向）をＺ軸方向とする。また、以下に参照する図面では、Ｘ軸方向の一方側をＸ１側とし、他方側をＸ２側とし、Ｙ軸方向の一方側（液晶パネルの張り出し部分が配置される方向）をＹ１側とし、これと対向する他方側をＹ２側とし、Ｚ軸方向の一方側（導光板の背面に向けられた方向）をＺ１側（下側）とし、これと対向する他方側（照明光や表示光が出射される側）をＺ２側（上側）として表してある。
【００１８】
［実施の形態１］
（全体構成）
図１は、本発明の実施の形態１に係る液晶表示装置を備えた液晶テレビ（電子機器）の説明図であり、図１（ａ）、（ｂ）は、液晶テレビの外観を模式的に示す説明図、および液晶表示装置の電気的構成を示すブロック図である。
【００１９】
図１（ａ）に示す電子機器２０００は液晶テレビであり、液晶表示装置１００やテレビ用のフレーム２０１０等を有している。液晶表示装置１００は、後述する液晶パネル１０（表示パネル）と、液晶パネル１０に画像信号を供給する画像信号供給部２７０と、液晶パネル１０に照明光を供給する照明装置８とを有している。また、液晶表示装置１００は、液晶パネル１０においてＸ軸方向に延在する走査線を駆動する走査線駆動回路１０４と、液晶パネル１０においてＹ軸方向に延在するデータ線を駆動するデータ線駆動回路１０１とを有している。走査線駆動回路１０４およびデータ線駆動回路１０１については、双方が液晶パネル１０に内蔵された構成を採用することができる。また、走査線駆動回路１０４およびデータ線駆動回路１０１のうちの一方が液晶パネル１０に内蔵され、他方が液晶パネル１０にＣＯＧ実装された駆動用ＩＣに内蔵された構成を採用することができる。また、走査線駆動回路１０４およびデータ線駆動回路１０１のうちの一方が表示パネル１０に内蔵され、他方が表示パネル１０に電気的に接続された回路基板に実装された駆動用ＩＣに内蔵された構成を採用することができる。さらには、走査線駆動回路１０４およびデータ線駆動回路１０１の双方が表示パネル１０とは別体の駆動用ＩＣに内蔵された構成等を採用することができる。
【００２０】
本形態において、照明装置８は、液晶パネル１０に重ねて配置された導光板８０と、導光板８０の側端面のうち、光入射部８０ａとされた側端面に沿って配置された複数の発光素子８９と、複数の発光素子８９が実装された光源用基板８８と、発光素子８９を駆動する光源駆動部２８０とを有している。本形態において、液晶パネル１０は横長の四角形であり、４つの辺１０ａ、１０ｂ、１０ｃ、１０ｄを有している。これらの辺１０ａ、１０ｂ、１０ｃ、１０ｄのうち、辺１０ａはＹ軸方向の一方側Ｙ１に位置する長辺であり、辺１０ｂはＹ軸方向の他方側Ｙ２に位置する長辺であり、辺１０ｃはＸ軸方向の一方側Ｘ１に位置する短辺であり、辺１０ｄはＸ軸方向の他方側Ｘ２に位置する短辺である。かかる形状に対応して、導光板８０は、４つの側端面８０１、８０２、８０３、８０４を有している。これらの側端面８０１〜８０４のうち、側端面８０１はＹ軸方向の一方側Ｙ１の長辺に位置し、側端面８０２はＹ軸方向の他方側Ｙ２の長辺に位置し、側端面８０３はＸ軸方向の一方側Ｘ１の短辺に位置し、側端面８０４はＸ軸方向の他方側Ｘ２の短辺に位置する。本形態では、導光板８０の４つの側端面８０１、８０２、８０３、８０４のうち、短辺方向（Ｙ軸方向）で対向する２つの側端面８０１、８０２が光入射部８０ａになっている。このため、発光素子８９は、導光板８０の２つの側端面８０１、８０２（光入射部８０ａ）の各々に沿って配列され、光源用基板８８は、導光板８０の２つの側端面８０１、８０２（光入射部８０ａ）の各々に沿って延在している。
【００２１】
（液晶表示装置１００の具体的構成）
図２は、本発明の実施の形態１に係る液晶表示装置１００の全体構成を示す説明図であり、図２（ａ）、（ｂ）は、液晶表示装置１００の斜視図および分解斜視図である。図３は、本発明の実施の形態１に係る液晶表示装置１００をさらに細かく分解したときの分解斜視図である。図４は、本発明の実施の形態１に係る液晶表示装置１００の断面図であり、図４（ａ）、（ｂ）は、液晶表示装置１００を図１（ａ）のＡ−Ａ′線に沿って切断したときの断面図、および液晶表示装置１００を図１（ａ）のＢ−Ｂ′線に沿って切断したときの断面図である。
【００２２】
図２、図３および図４において、本形態の液晶表示装置１００は、概ね、いわゆるバックライト装置と称せられる照明装置８と、この照明装置８の上面に重ねて配置された透過型の液晶パネル１０とを備えている。液晶表示装置１００において、照明装置８は、フレーム体９を備えている。本形態において、フレーム体９は、下側（Ｚ軸方向の一方側Ｚ１）で導光板８０の背面を覆うように配置された金属製の第１フレーム４０（下金枠）と、第１フレーム４０の上方で液晶パネル１０の端部を保持するとともに照明装置８を囲って保持する樹脂製の第２フレーム３０（樹脂フレーム）と、第２フレーム３０の上側（Ｚ軸方向の他方側Ｚ２）に配置された金属製の第３フレーム５０（上金枠）とを備えている。
【００２３】
第２フレーム３０は、液晶パネル１０の端部を保持するとともに液晶パネル１０の周りを囲む矩形枠形状を有しており、本形態において、第２フレーム３０は、液晶パネル１０の４つの辺に対応して４つの辺毎に分割された４本のフレーム板３１、３２、３３、３４からなる。本形態において、第２フレーム３０は黒色であり、光吸収部材として機能することによって、照明装置８内での迷光の発生を防止する。フレーム板３１、３２、３３、３４は各々、フレーム板３１、３２、３３、３４の外面側で下方に延在する側板部３１１、３２１、３３１、３４１と、側板部３１１、３２１、３３１、３４１の上端縁から内側に向かって屈曲した上板部３１５、３２５、３３５、３４５（端板部）と、上板部３１５、３２５、３３５、３４５の高さ方向の途中位置から内側に張り出した突板部３１２、３２２、３３２、３４２とを備えている。このため、フレーム板３１、３２、３３、３４の内側には、突板部３１２、３２２、３３２、３４２によって段部３１３、３２３、３３３、３４３が形成されており、かかる段部３１３、３２３、３３３、３４３と突板部３１２、３２２、３３２、３４２とによって液晶パネル１０が保持されている。また、突板部３１２の下側には、照明装置８の導光板８０や発光素子８９等が配置されている。
【００２４】
第１フレーム４０は、ＳＵＳ板等の薄い金属板に対するプレス加工等により形成されてなる。第１フレーム４０は、底板部４５と、底板部４５の外周縁のうち、Ｙ軸方向の一方側Ｙ１を除く３つの辺から起立する３つの側板部４２、４３、４４とを備えており、上面が開口する矩形の箱状になっている。かかる第１フレーム４０の側板部４２、４３、４４の外側に第２フレーム３０の側板部３２１、３３１、３４１が重なっている。また、第２フレーム３０の側板部３１１は、第１フレーム４０のＹ軸方向の一方側Ｙ１を覆っている。
【００２５】
第３フレーム５０も、第１フレーム４０と同様、ＳＵＳ板等の薄い金属板に対するプレス加工等により形成されてなる。第３フレーム５０は、矩形の上板部５５（端板部）と、上板部５５の外周縁から下方に折れ曲がった４つの側板部５１、５２、５３、５４とを備えており、下面が開口する矩形の箱状になっている。側板部５１、５２、５３、５４は、第２フレーム３０の側板部３１１、３２１、３３１、３４１の外側に重なっている。上板部５５には、液晶パネル１０から出射された光を出射する矩形の窓５５０が形成されており、上板部５５は、液晶パネル１０の表示光出射側のうち、外周端部を全周にわたって覆っている。
【００２６】
このように構成した第３フレーム５０、第２フレーム３０、および第１フレーム４０はネジ（図示せず）等により結合されて、内側に液晶パネル１０や照明装置８を保持する。ここで、第２フレーム３０の突板部３１２、３２２、３３２、３４２の下面および上面には、図４に示すように、可撓性シート３９１、３９２が貼られている。このため、液晶表示装置１００を組み立てた際、液晶パネル１０は可撓性シート３９２を介して突板部３１２〜３４２に支持される。また、液晶表示装置１００を組み立てた際、照明装置８は可撓性シート３９１を介して支持される。また、液晶表示装置１００を組み立てた際、照明装置８の光学シート（拡散シート１８２、プリズムシート１８３、１８４等）は可撓性シート３９１を介して浮きや位置ズレが生じないように抑えられている。
【００２７】
（液晶パネル１０の構成）
図２、図３および図４に示すように、液晶パネル１０は、四角形の平面形状を有しており、画素電極（図示せず）等が形成された素子基板１１と、素子基板１１に対して所定の隙間を介して対向配置された対向基板１２と、この対向基板１２と素子基板１１とを貼り合せる矩形枠状のシール材１４とを備えている。かかる液晶パネル１０では、シール材１４で囲まれた領域内に液晶層１３が保持されている。素子基板１１および対向基板１２はガラス基板等の透光性基板からなる。素子基板１１では、Ｘ軸方向に複数本の走査線（図示せず）が延在している一方、Ｙ軸方向には複数本のデータ線が延在しており、走査線とデータ線（図示せず）との交差に対応して、スイッチング素子（図示せず）および画素電極が設けられている。
【００２８】
本形態では、対向基板１２が表示光の出射側に配置され、素子基板１１は照明装置８の側に配置されている。また、対向基板１２において、素子基板１１と対向する面には、シール材１４の４つの辺の内縁に沿って、矩形枠状の遮光層からなる額縁層１２０が形成されており、額縁層１２０の内縁により規定された領域が画像表示領域１００ａである。なお、第３フレーム５０の上板部５５の内縁は、額縁層１２０の幅方向の途中位置にあり、第３フレーム５０の窓５５０は、画像表示領域１００ａおよび額縁層１２０の内周部分と重なっている。
【００２９】
液晶パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成されており、素子基板１１に画素電極が形成され、対向基板１２に共通電極（図示せず）が形成されている。なお、液晶パネル１０がＩＰＳ（In Plane Switching）方式や、ＦＦＳ（Fringe Field Switching）方式の液晶パネルである場合、共通電極は、素子基板１１の側に設けられる。また、素子基板１１が対向基板１２に対して表示光の出射側に配置されることもある。液晶パネル１０の上面には上偏光板１８が重ねて配置され、液晶パネル１０の下面と照明装置８との間には下偏光板１７が配置されている。
【００３０】
本形態において、素子基板１１は対向基板１２より大きい。このため、素子基板１１は、Ｙ軸方向の一方側Ｙ１において対向基板１２の端部から張り出した張り出し部分１１０を有しており、かかる張り出し部分１１０の上面には複数枚のフレキシブル配線基板２００が接続されている。フレキシブル配線基板２００は、リジット基板からなる回路基板２５０に接続されており、かかる回路基板２５０には、図１を参照して説明した画像信号供給部２７０を構成する制御用ＩＣ（図示せず）や、光源駆動部２８０を構成する光源駆動用ＩＣ（図示せず）が実装されている。
【００３１】
（照明装置８の構成）
図５は、本発明の実施の形態１に係る液晶表示装置１００の照明装置８に用いた光源用基板８８周辺の構成を示す説明図であり、図５（ａ）、（ｂ）は、光源用基板８８の一方面８８１側の様子を模式的に示す説明図、および光源用基板８８の他方面８８２側の様子を模式的に示す説明図である。なお、導光板８０のＹ軸方向で相対向する２つの側端面８０１、８０２（光入射部８０ａ）に配置された発光素子８９や光源用基板８８の構成は同一である。従って、図５（ａ）には、導光板８０の側端面８０２に配置された発光素子８９や光源用基板８８を示し、図５（ｂ）には、導光板８０の側端面８０１に配置された光源用基板８８等を示してある。
【００３２】
図３および図４に示すように、照明装置８は、液晶パネル１０の下面側に重ねて配置された導光板８０と、導光板８０の光入射部８０ａに発光面８９ａを向けて光入射部８０ａの一方端側（Ｘ軸方向の一方側Ｘ１）から他方端側（Ｘ軸方向の他方側Ｘ２）に向かって配列された複数の発光素子８９とを備えている。本形態において、複数の発光素子８９は、光入射部８０ａに沿ってＸ軸方向に延在する光源用基板８８の一方面８８１に実装されている。発光素子８９は、白色光を出射するＬＥＤ（Light Emitting Diode）であり、光源光を発散光として出射する。
【００３３】
本形態の照明装置８において、導光板８０の側端面８０１、８０２、８０３、８０４のうち、Ｙ軸方向で相対向する２つの側端面８０１、８０２が光入射部８０ａとして利用されている。このため、複数の発光素子８９は、導光板８０の２つの光入射部８０ａ（側端面８０１、８０２）に発光面８９ａを向け、２つの光入射部８０ａ（側端面８０１、８０２）の各々の一方端側から他方端側に向かって配列されている。また、光源用基板８８は、２つの光入射部８０ａ（側端面８０１、８０２）に沿って２枚が延在しており、かかる２枚の光源用基板８８の各々の一方面８８１に複数の発光素子８９が実装されている。
【００３４】
本形態において、導光板８０は、アクリル樹脂、ポリメチルスチレン樹脂、ポリカーボネート樹脂等からなる透光性の樹脂板であり、導光板８０の下面８０ｃ（光出射面８０ｂとは反対側の面／反対面）と第１フレーム４０の底板部４５との間には反射シート１８７（光学シート）が重ねて配置されている。
【００３５】
また、導光板８０の上面（光出射面８０ｂ）と液晶パネル１０との間には拡散シート１８２、プリズムシート１８３、１８４等の光学シートが重ねて配置されている。拡散シート１８２は、アクリル樹脂やポリカーボネート樹脂等の透光性樹脂にシリカ粒子等を分散したコーティング層を備えたシートからなる。本形態において、２枚のプリズムシート１８３、１８４は、互いの稜線が直交するように配置されている。このため、導光板８０の光出射面８０ｂから出射された照明光は、拡散シート１８２によって全方向に拡散した後、２枚のプリズムシート１８３、１８４によって、液晶パネル１０の正面方向にピークを持つような指向性が付与されている。
【００３６】
導光板８０において、反射シート１８７が位置する下面８０ｃには、拡散パターンとして、線状の微細な凹部からなる複数のグルーブ８６が形成されており、かかるグルーブ８６は、導光板８０内を進行する光を反射し、拡散させる。本形態において、複数のグルーブ８６がＸ軸方向に直線状に並ぶグルーブ列８６０がＹ軸方向で複数、並行するように設けられている。グルーブ８６の密度は、発光素子８９から離れるに従って高くなっている。このため、導光板８０から出射される照明光の強度分布は、発光素子８９からの距離にかかわらず、均一化されている。
【００３７】
第１フレーム４０の底板部４５は、導光板８０において側端面８０１が位置する側と重なる領域において、導光板８０の下面８０ｃと第１フレーム４０との間に隙間が確保できるように段差が部分的に形成されており、導光板８０に向けて折れ曲がっている。それにより、導光板８０の下面８０ｃと底板部４５との間に反射シート１８７と光源支持部材６０の下板部６１とを隙間の間で挟持可能になっている。また、第１フレーム４０の底板部４５を導光板８０に向けて部分的に折り曲げたことによって第１フレーム４０の背面側には凹部が形成されるので、第１フレーム４０の底板部４５の下面（背面）までフレキシブル配線基板２００を折り曲げて延在させるとともに、かかる凹部内に回路基板２５０が凹部の深さ内に収納されるように配置されている。このため、照明装置８の薄型化を図ることができる。
【００３８】
本形態において、光源用基板８８は、発光素子８９が実装されている一方面８８１が導光板８０の光入射部８０ａに対向するように配置されている。また、光源用基板８８は、光入射部８０ａに沿って延在する板状の金属板８８７（支持板）の一方面８８１側に、配線パターンやランドが絶縁層とともに設けられた構造を有している。かかる構成は、金属板８８７の一方面８８１側に、樹脂基材層、配線パターンおよび絶縁保護層等がこの順に積層されたフレキシブル配線基板８８８を貼り合わせることにより実現することができる。従って、配線パターンおよび発光素子８９のチップが実装されるランドは、金属板８８７から電気的に絶縁されている。本形態において、金属板８８７はアルミニウム板からなり、金属板８８７は、光源用基板８８の機械的強度を確保するとともに、発光素子８９から発熱される熱の放熱板としても機能する。
【００３９】
図３、図４および図５に示すように、２枚の光源用基板８８の各々の他方面８８２側には、光源用基板８８を保持する光源支持部材６０が各々配置されており、光源支持部材６０は、第１フレーム４０および第２フレーム３０の間に配置されて保持されている。本形態において、光源支持部材６０は、光源用基板８８の他方面８８２に沿って延在する棒状の金属部品である。光源支持部材６０は、第１フレーム４０の底板部４５に重なる下板部６１と、下板部６１の幅方向の途中位置から上方に突出した壁面を構成する基板支持板部６２とを有している。また、光源支持部材６０は、基板支持板部６２から導光板８０が位置する側とは反対側に折れ曲がった上板部６３を基板支持板部６２の上端側（下板部６１と反対の側）に備えており、上板部６３は、ネジ等によって第３フレーム５０の上板部５５および第２フレーム３０の上板部３１５、３２５の少なくともいずれか一方に固定されている。
【００４０】
かかる構成の光源支持部材６０において、基板支持板部６２の導光板８０が位置する側の面は、光源用基板８８を保持する基板保持面６２０になっており、ネジ等によって、基板保持面６２０に光源用基板８８が固定されている。この状態で、光源用基板８８は、他方面８８２（金属板８８７）の全面が基板保持面６２０に面接触し、密着した状態で重なっている。また、光源支持部材６０は、アルミニウムや鉄系金属等の金属製である。このため、発光素子８９で発生した熱は、光源用基板８８の金属板８８７から光源支持部材６０に伝達され、光源支持部材６０の熱は第１フレーム４０に伝達される。従って、発光素子８９の温度上昇を低く抑えることができる。
【００４１】
（導光板８０等の形状）
図６は、本発明の実施の形態１に係る液晶表示装置の照明装置の分解斜視図である。図７は、本発明の実施の形態１に係る液晶表示装置１００における導光板８０等の位置決め構造を示す説明図である。なお、図７において、導光板８０の下面８０ｃには拡散パターンとしてのグルーブ８６が形成されているが、図７ではグルーブ８６を実線で示してある。また、図６では、第１フレーム４０については底板部４５のみを図示し、側板部４２〜４４の図示を省略してある。
【００４２】
図６および図７に示すように、本形態の液晶表示装置１００の照明装置８において、導光板８０は、Ｙ軸方向に位置する側端面８０１、８０２は、Ｘ軸方向に直線的に延在している。これに対して、Ｘ軸方向に位置する一方の側端面８０３は外形辺に対して窪んだ凹形状とされ、Ｘ軸方向に位置する他方の側端面８０４は外形辺に対して突出した凸形状を有している。より具体的には、導光板８０は、Ｘ軸方向の一方側Ｘ１の側端面８０３からＸ軸方向の他方側Ｘ２に向けて凹む凹部８０３ａと、凹部８０３ａにＸ軸方向の他方側Ｘ２で対向する位置でＸ軸方向の他方側Ｘ２の側端面８０４からＸ軸方向の他方側Ｘ２に向けて突出した凸部８０４ｂとを備えている。
【００４３】
ここで、凸部８０４ｂのＹ軸方向の寸法Ｌｙ2と、凹部８０３ａのＹ軸方向の寸法Ｌｙ1とは、以下の関係
寸法Ｌｙ2  ≦  寸法Ｌｙ1
であり、凸部８０４ｂのＹ軸方向の寸法Ｌｙ2は、凹部８０３ａのＹ軸方向の寸法Ｌｙ1以下である。
【００４４】
また、凸部８０４ｂのＸ軸方向における突出寸法Ｌｘ2と、凹部８０３ａのＸ軸方向における窪んだ深さ寸法Ｌｘ1とは以下の関係
寸法Ｌｘ2  ≦  寸法Ｌｘ1
であり、凸部８０４ｂのＸ軸方向における突出寸法Ｌｘ2は、凹部８０３ａのＸ軸方向における深さ寸法Ｌｘ1以下である。なお、本形態では、凸部８０４ｂのＸ軸方向における突出寸法Ｌｘ2は、凹部８０３ａのＸ軸方向における深さ寸法Ｌｘ1と等しい。
【００４５】
また、図６に示すように、反射シート１８７は、導光板８０の凹部８０３ａおよび凸部８０４ｂと重なる位置に凹部１８７ａ（シート側凹部）および凸部１８７ｂ（シート側凸部）を備えている。より具体的には、反射シート１８７は、Ｘ軸方向の他方側Ｘ２に向けて凹む凹部１８７ａと、凹部１８７ａにＸ軸方向の他方側Ｘ２で対向する位置でＸ軸方向の他方側Ｘ２に向けて突出した凸部１８７ｂとを備えている。また、凹部１８７ａは凹部８０３ａとサイズが等しく、凸部１８７ｂは凸部８０４ｂとサイズが等しい。このため、凸部１８７ｂのＹ軸方向の寸法Ｌｙ12と、凹部１８７ａのＹ軸方向の寸法Ｌｙ11とは、以下の関係
寸法Ｌｙ12  ≦  寸法Ｌｙ11
であり、凸部１８７ｂのＹ軸方向の寸法Ｌｙ12は、凹部１８７ａのＹ軸方向の寸法Ｌｙ11以下である。また、凸部１８７ｂのＸ軸方向における突出寸法Ｌｘ12と、凹部１８７ａのＸ軸方向における深さ寸法Ｌｘ11とは以下の関係
寸法Ｌｘ12  ≦  寸法Ｌｘ11
であり、凸部１８７ｂのＸ軸方向における突出寸法Ｌｘ12は、凹部１８７ａのＸ軸方向における深さ寸法Ｌｘ11以下である。なお、本形態では、凸部１８７ｂのＸ軸方向における突出寸法Ｌｘ12は、凹部１８７ａのＸ軸方向における深さ寸法Ｌｘ11と等しい。
【００４６】
また、プリズムシート１８４も、反射シート１８７と同様、導光板８０の凹部８０３ａおよび凸部８０４ｂと重なる位置に凹部１８４ａ（シート側凹部）および凸部１８４ｂ（シート側凸部）を備えている。より具体的には、プリズムシート１８４は、Ｘ軸方向の他方側Ｘ２に向けて凹む凹部１８４ａと、凹部１８４ａにＸ軸方向の他方側Ｘ２で対向する位置でＸ軸方向の他方側Ｘ２に向けて突出した凸部１８４ｂとを備えている。また、凹部１８４ａは凹部８０３ａとサイズが等しく、凸部１８４ｂは凸部８０４ｂとサイズが等しい。このため、凸部１８４ｂのＹ軸方向の寸法Ｌｙ22と、凹部１８４ａのＹ軸方向の寸法Ｌｙ21とは、以下の関係
寸法Ｌｙ22  ≦  寸法Ｌｙ21
であり、凸部１８４ｂのＹ軸方向の寸法Ｌｙ22は、凹部１８４ａのＹ軸方向の寸法Ｌｙ21以下である。また、凸部１８４ｂのＸ軸方向における突出寸法Ｌｘ22と、凹部１８４ａのＸ軸方向における深さ寸法Ｌｘ21とは以下の関係
寸法Ｌｘ22  ≦  寸法Ｌｘ21
であり、凸部１８４ｂのＸ軸方向における突出寸法Ｌｘ22は、凹部１８４ａのＸ軸方向における深さ寸法Ｌｘ21以下である。なお、本形態では、凸部１８４ｂのＸ軸方向における突出寸法Ｌｘ22は、凹部１８４ａのＸ軸方向における深さ寸法Ｌｘ21と等しい。
【００４７】
なお、他の光学シート（拡散シート１８２およびプリズムシート１８３）も、反射シート１８７およびプリズムシート１８４と同様な平面形状を有しており、図６に凹部１８２ａ、１８３ａ（シート側凹部）のみを図示して、拡散シート１８２およびプリズムシート１８３の形状についての説明は省略する。
【００４８】
（導光板８０等の位置決め構造）
図４、図６および図７に示すように、フレーム体９の第１フレーム４０は、導光板８０と重なる領域（図６において一点鎖線で示す領域）の近傍に導光板８０を位置決めする位置決め突起９０を備えている。図４（ｂ）に示すように、本形態において、位置決め突起９０は、第１フレーム４０と一体に形成された樹脂部分９５からなり、第１フレーム４０の底面部から導光板の厚み方向に向けて突出している。
【００４９】
図６および図７に示すように、位置決め突起９０は、第１位置決め突起９１、第２位置決め突起９２、第３位置決め突起９３、および第４位置決め突起９４からなる。かかる位置決め突起９０のうち、第１位置決め突起９１は、凹部８０３ａにおいてＹ軸方向の一方側Ｙ１に位置する角部に対応した第１内側面８０３ａ1と底部８０３ａ3とに当接し、第２位置決め突起９２は、凹部８０３ａにおいてＹ軸方向の他方側Ｙ２に位置する角部に対応した第２内側面８０３ａ2と底部８０３ａ3とに当接する。第３位置決め突起９３は、凸部８０４ｂのＹ軸方向の一方側Ｙ１で構成される角部に対応して、Ｙ軸方向に沿った外形辺を構成する側端面８０４と、側端面８０４から外方（Ｘ軸方向の他方側Ｘ２）に向けて突出した第１外側面８０４ｂ1とに当接し、第４位置決め突起９４は、凸部８０４ｂのＹ軸方向の他方側Ｙ２で構成される角部に対応して、Ｙ軸方向に沿った外形辺を構成する側端面８０４と、側端面８０４から外方（Ｘ軸方向の他方側Ｘ２）に向けて突出した第２外側面８０４ｂ2とに当接する。従って、導光板８０は４つの位置決め突起９０によって位置決めされる。また、反射シート１８７、拡散シート１８２、プリズムシート１８３、１８４等の光学シートも、凹部８０３ａおよび凸部８０４ｂと同様なシート側凹部およびシート側凸部を備えているため、導光板８０と同様、４つの位置決め突起９０によって位置決めされる。
【００５０】
本形態において、４つの位置決め突起９０（９１、９２、９３、９４）はいずれも、外径寸法（直径）が同一の円柱状突起からなり、Ｙ軸方向の寸法は同一である。このため、第１位置決め突起９１と第３位置決め突起９３とは、Ｙ軸方向における寸法が等しく、Ｙ軸方向の同一位置に形成されてＸ軸方向で離間されて対向配置している。また、第２位置決め突起９２と第４位置決め突起９４とは、Ｙ軸方向における寸法が等しく、Ｙ軸方向の同一位置に形成されてＸ軸方向で離間されて対向配置している。
【００５１】
ここで、位置決め突起９０の外径寸法（Ｙ軸方向の寸法）は、凸部８０４ｂのＹ軸方向の寸法Ｌｙ2と、凹部８０３ａのＹ軸方向の寸法Ｌｙ1との差の１／２に相当する寸法である。このため、位置決め突起９０は、図７を参照して説明する除材部分に相当する位置に配置されることになる。
【００５２】
また、位置決め突起９０の外径寸法（Ｙ軸方向の寸法）は、凸部８０４ｂのＸ軸方向における突出寸法Ｌｘ2、および凹部８０３ａのＸ軸方向における深さ寸法Ｌｘ1と等しいか、あるいは、突出寸法Ｌｘ2および深さ寸法Ｌｘ1よりわずかに小さいため、位置決め突起９０は、凸部８０４ｂの先端部８０４ｂ3および凹部８０３ａの内部から張り出していない。
【００５３】
（導光板８０の製造方法）
図８は、図７に示す導光板８０の製造方法を示す説明図であり、図８では、導光板８０を切り出す複数の領域のうちの１つをグレー領域で示し、除材部分８０ｕについては右上がりの斜線を付してある。
【００５４】
図７等を参照して説明した導光板８０を製造するにあたっては、図８に示すように、押出成形等により導光板用の大型の樹脂板８０ｗを形成した後、かかる樹脂板８０ｗの母材から複数枚の導光板８０を切り出す。より具体的には、樹脂板８０ｗをＸＹステージ（図示せず）上に載置した後、炭酸ガスレーザーやフェトム秒レーザーのレーザービームを樹脂板８０ｗに照射し、照射位置において樹脂板８０ｗを構成する高分子材料を溶融、揮発させながら導光板８０を切り出す。しかる後には、導光板８０の切断面の全体あるいは光入射部８０ａとされる側端面８０１、８０２に研磨等の仕上げ加工を行う。
【００５５】
このような方法で導光板８０を製造する際、凹部８０３ａと凸部８０４ｂは、Ｘ軸方向で対向する位置に形成され、かつ、凸部８０４ｂの寸法と凹部８０３ａの寸法とには、以下の関係
凸部８０４ｂのＹ軸方向の寸法Ｌｙ2  ≦  凹部８０３ａのＹ軸方向の寸法Ｌｙ1
凸部８０４ｂの突出寸法Ｌｘ2  ≦  凹部８０３ａの深さ寸法Ｌｘ1
がある。このため、大型の樹脂板８０ｗから複数枚の導光板８０を切り出す際、Ｘ軸方向で隣接する領域同士の間では、凸部８０４ｂが切り出される領域は、凹部８０３ａが切り出される領域の内側に位置する。このため、大型の樹脂板８０ｗから導光板８０を切り出した際に残る除材部分８０ｕが少ない。
なお、下式
凸部８０４ｂのＹ軸方向の寸法Ｌｙ2  ＜  凹部８０３ａのＹ軸方向の寸法Ｌｙ1
凸部８０４ｂの突出寸法Ｌｘ2  ＜  凹部８０３ａの深さ寸法Ｌｘ1
の関係、かつ、大小関係の差が位置決め突起の寸法差以上においては、照明装置８として、除材部分８０ｕに対応した部分（所定の導光板８０の凹部８０３ａと、導光板８０にＸ軸方向において隣接する導光板の凸部８０４ｂの間）に位置決め突起が配置されることとなる。
これに対して、下式
凸部８０４ｂのＹ軸方向の寸法Ｌｙ2  ＝  凹部８０３ａのＹ軸方向の寸法Ｌｙ1
凸部８０４ｂの突出寸法Ｌｘ2  ＝  凹部８０３ａの深さ寸法Ｌｘ1
の関係（及び大小関係の差が位置決め突起の寸法差以下）においては、照明装置８としては、位置決め突起の配置はそれぞれ凸部８０４ｂの外側、及び凹部８０３ａの内側に配置されるので、Ｘ軸方向において、位置決め突起９２と位置決め突起９４、および位置決め突起９１と位置決め突起９３は、Ｙ軸方向における寸法は等しいものの、Ｙ軸方向の同一位置には配置されない構成となる。
【００５６】
なお、反射シート１８７、拡散シート１８２、プリズムシート１８３、１８４等の光学シートも、凹部８０３ａおよび凸部８０４ｂと同様なシート側凹部およびシート側凸部を備えているため、導光板８０と同様、大型のシートから効率よく切り出すことができる。
【００５７】
（本形態の主な効果）
以上説明したように、本形態の液晶表示装置１００および照明装置８では、導光板８０のＸ軸方向の一方側Ｘ１の側端面８０３には凹部８０３ａが設けられ、Ｘ軸方向の他方側Ｘ２の側端面８０４には凸部８０４ｂが形成されているため、凹部８０３ａおよび凸部８０４ｂを利用して、フレーム体９の所定位置に導光板８０を位置決めすることができる。
【００５８】
ここで、凹部８０３ａと凸部８０４ｂはＸ軸方向で対向する位置に形成され、かつ、凸部８０４ｂの寸法は凹部８０３ａの寸法以下である。このため、大型の樹脂板８０ｗから複数枚の導光板８０を切り出す際、Ｘ軸方向で隣接する領域同士の間では、凸部８０４ｂが切り出される領域は、凹部８０３ａが切り出される領域の内側に位置する。このため、大型の樹脂板８０ｗから導光板８０を切り出した際に残る除材部分８０ｕが少なく、材料の無駄が少なく済む。また、凸部８０４ｂの突出寸法Ｌｘ2と凹部８０３ａの深さ寸法Ｌｘ1とが等しいため、凸部８０４ｂの先端部８０４ｂ3と凹部８０３ａの底部８０３ａ3とが重なる。このため、凸部８０４ｂの先端部８０４ｂ3の切断と、凹部８０３ａの底部８０３ａ3の切断とを同時に行うことができる。
【００５９】
［実施の形態２］
上記実施の形態１では、光源用基板８８の一方面８８１が導光板８０の光入射部８０ａに対向している構成であったが、光源用基板８８の一方面８８１が導光板８０の光入射部８０ａに直交している構成の液晶表示装置１００に本発明を適用してもよい。
【００６０】
［他の実施の形態］
上記実施の形態では、位置決め突起９０を形成するにあたって、第１フレーム４０に樹脂部分９５を一体に形成したが、第１フレーム４０を部分的に突出させて位置決め突起９０を形成してもよい。また、第１フレーム４０の底面部に取り付けられた金属ピンによって位置決め突起９０が構成されていてもよい。
【００６１】
［電子機器への搭載例］
上述実施形態では、液晶表示装置１００を搭載した電子機器２０００として、液晶テレビを例示したが、液晶テレビ以外にも、パーソナルコンピューターのディスプレイ、デジタルサイネージ、カーナビゲーション装置、携帯用情報端末等の電子機器の表示部に本発明を適用した液晶表示装置１００を用いてもよい。
【符号の説明】
【００６２】
８・・照明装置、９・・フレーム体、１０・・液晶パネル、４０・・第１フレーム、８０・・導光板、８０ａ・・光入射部、８０ｂ・・光出射面、８０ｗ・・大型の樹脂板、８９・・発光素子（光源）、９０・・位置決め突起、９１・・第１位置決め突起、９２・・第２位置決め突起、９３・・第３位置決め突起、９４・・第４位置決め突起、１００・・液晶表示装置、１００ａ・・画像表示領域、１８２・・拡散シート（光学シート）、１８３、１８４・・プリズムシート、１８７・・反射シート（光学シート）、８０３ａ・・凹部、８０４ｂ・・凸部
【図１】
0005747712.tif 000002
【図２】
0005747712.tif 000003
【図３】
0005747712.tif 000004
【図４】
0005747712.tif 000005
【図５】
0005747712.tif 000006
【図６】
0005747712.tif 000007
【図７】
0005747712.tif 000008
【図８】
0005747712.tif 000009